(57)【要約】【課題】缶体を支持し移動する移動体が通る上側の移動経路とこの缶体についての処理を行う処理手段との位置関係と、缶体を支持し移動する移動体が通る下側の移動経路とこの缶体についての処理を行う処理手段との位置関係とを異ならせることができるようにする。【解決手段】缶体を支持し、移動する移動体と、横方向へ延び、前記移動体が一方向へ移動する際に通る上側移動経路と、前記上側移動経路よりも下方に位置し、横方向へ延び、前記移動体が前記一方向とは反対方向へ移動する際に通る下側移動経路と、前記移動体により支持されている缶体への画像形成を行う画像形成手段と、を備え、前記上側移動経路に前記移動体が位置する際の当該移動体の姿勢と、前記下側移動経路に当該移動体が位置する際の当該移動体の姿勢とを比べた場合に、当該移動体の上下が逆転している印刷システム。【選択図】図１
2020152086.tif 000002
【特許請求の範囲】
【請求項１】
缶体を支持し、移動する移動体と、
横方向へ延び、前記移動体が一方向へ移動する際に通る上側移動経路と、
前記上側移動経路よりも下方に位置し、横方向へ延び、前記移動体が前記一方向とは反対方向へ移動する際に通る下側移動経路と、
前記移動体により支持されている缶体への画像形成を行う画像形成手段と、
を備え、
前記上側移動経路に前記移動体が位置する際の当該移動体の姿勢と、前記下側移動経路に当該移動体が位置する際の当該移動体の姿勢とを比べた場合に、当該移動体の上下が逆転している印刷システム。
【請求項２】
前記移動体が移動する移動経路は、環状に形成され、環状の当該移動経路の一部として、前記上側移動経路および前記下側移動経路が設けられている請求項１に記載の印刷システム。
【請求項３】
前記環状の移動経路に沿って設けられ前記移動体を案内する案内部を更に備え、
前記移動体は、前記案内部により案内される被案内部と、前記缶体に挿入され当該缶体を支持する缶体支持部とを有し、
前記上側移動経路に前記移動体が位置する際、前記被案内部よりも上方に前記缶体支持部が位置し、
前記下側移動経路に前記移動体が位置する際、前記被案内部よりも下方に前記缶体支持部が位置する請求項２に記載の印刷システム。
【請求項４】
前記下側移動経路の下方には、当該下側移動経路の延び方向に沿って並んで配置され、前記缶体についての処理を行う複数の処理手段が設けられている請求項１に記載の印刷システム。
【請求項５】
前記上側移動経路の上方には、当該上側移動経路の延び方向に沿って並んで配置され、前記缶体についての処理を行う複数の処理手段が設けられている請求項１に記載の印刷システム。
【請求項６】
前記上側移動経路又は前記下側移動経路に前記移動体が位置する際に、前記画像形成手段により、当該移動体により支持されている缶体への画像形成が行われる請求項１に記載の印刷システム。
【請求項７】
前記上側移動経路と前記下側移動経路とは、互いに平行となる関係で配置されている請求項１に記載の印刷システム。
【請求項８】
前記上側移動経路と前記下側移動経路とを鉛直方向下方に向けて投影した場合に、当該上側移動経路と当該下側移動経路とが重なる請求項７に記載の印刷システム。
【請求項９】
前記上側移動経路の側方および前記下側移動経路の側方の両方に、前記移動体により支持される缶体についての処理を行う処理手段が設けられている請求項１に記載の印刷システム。
【請求項１０】
環状の前記移動経路は、鉛直方向に沿って延びる平面上に配置されている請求項２に記載の印刷システム。
【請求項１１】
前記上側移動経路および前記下側移動経路は、直線状に形成されている請求項１に記載の印刷システム。
【発明の詳細な説明】
【技術分野】
【０００１】
本発明は、印刷システムに関する。
【背景技術】
【０００２】
特許文献１には、マンドレルホイールに備えられた複数個の自転可能なマンドレル、マンドレルに装着されたシームレス缶外面の少なくとも胴部にインクジェット印刷により印刷画像を形成するインクジェット印刷ステーションを有する印刷装置が開示されている。
【先行技術文献】
【特許文献】
【０００３】
【特許文献１】特開２０１２−２３２７７１号公報
【発明の概要】
【発明が解決しようとする課題】
【０００４】
缶体を支持する移動体が通る上側の移動経路である上側移動経路と下側の移動経路である下側移動経路とを設ければ、高さ方向における複数箇所にて、缶体についての処理を行える。
本発明の目的は、缶体を支持し移動する移動体が通る上側の移動経路とこの缶体についての処理を行う処理手段との位置関係と、缶体を支持し移動する移動体が通る下側の移動経路とこの缶体についての処理を行う処理手段との位置関係とを異ならせることができるようにすることにある。
【課題を解決するための手段】
【０００５】
本発明が適用される印刷システムは、缶体を支持し、移動する移動体と、横方向へ延び、前記移動体が一方向へ移動する際に通る上側移動経路と、前記上側移動経路よりも下方に位置し、横方向へ延び、前記移動体が前記一方向とは反対方向へ移動する際に通る下側移動経路と、前記移動体により支持されている缶体への画像形成を行う画像形成手段と、を備え、前記上側移動経路に前記移動体が位置する際の当該移動体の姿勢と、前記下側移動経路に当該移動体が位置する際の当該移動体の姿勢とを比べた場合に、当該移動体の上下が逆転している印刷システムである。
ここで、前記移動体が移動する移動経路は、環状に形成され、環状の当該移動経路の一部として、前記上側移動経路および前記下側移動経路が設けられていることを特徴とすることができる。
また、前記環状の移動経路に沿って設けられ前記移動体を案内する案内部を更に備え、前記移動体は、前記案内部により案内される被案内部と、前記缶体に挿入され当該缶体を支持する缶体支持部とを有し、前記上側移動経路に前記移動体が位置する際、前記被案内部よりも上方に前記缶体支持部が位置し、前記下側移動経路に前記移動体が位置する際、前記被案内部よりも下方に前記缶体支持部が位置することを特徴とすることができる。
また、前記下側移動経路の下方には、当該下側移動経路の延び方向に沿って並んで配置され、前記缶体についての処理を行う複数の処理手段が設けられていることを特徴とすることができる。
【０００６】
また、前記上側移動経路の上方には、当該上側移動経路の延び方向に沿って並んで配置され、前記缶体についての処理を行う複数の処理手段が設けられていることを特徴とすることができる。
また、前記上側移動経路又は前記下側移動経路に前記移動体が位置する際に、前記画像形成手段により、当該移動体により支持されている缶体への画像形成が行われることを特徴とすることができる。
また、前記上側移動経路と前記下側移動経路とは、互いに平行となる関係で配置されていることを特徴とすることができる。
また、前記上側移動経路と前記下側移動経路とを鉛直方向下方に向けて投影した場合に、当該上側移動経路と当該下側移動経路とが重なることを特徴とすることができる。
また、前記上側移動経路の側方および前記下側移動経路の側方の両方に、前記移動体により支持される缶体についての処理を行う処理手段が設けられていることを特徴とすることができる。
また、環状の前記移動経路は、鉛直方向に沿って延びる平面上に配置されていることを特徴とすることができる。
また、前記上側移動経路および前記下側移動経路は、直線状に形成されていることを特徴とすることができる。
【発明の効果】
【０００７】
本発明によれば、缶体を支持し移動する移動体が通る上側の移動経路とこの缶体についての処理を行う処理手段との位置関係と、缶体を支持し移動する移動体が通る下側の移動経路とこの缶体についての処理を行う処理手段との位置関係とを異ならせることができる。
【図面の簡単な説明】
【０００８】
【図１】印刷システムの側面図である。
【図２】第１検査装置を説明する図である。
【図３】印刷システムの他の構成例を示した図である。
【図４】第２検査装置を説明する図である。
【図５】図１の矢印Ｖ方向から第１インクジェットヘッド、第２インクジェットヘッド、および、移動ユニットを眺めた場合の図である。
【図６】印刷システムの比較例を示した図である。
【発明を実施するための形態】
【０００９】
以下、添付図面を参照して、本発明の実施の形態について説明する。
図１は、印刷システム５００の側面図である。
印刷システム５００には、缶体１０が供給される缶体供給部５１０が設けられている。この缶体供給部５１０では、缶体１０を支持する支持部材２０に対する缶体１０の供給（取り付け）が行われる。
具体的には、支持部材２０は円筒状に形成され、筒状の缶体１０に対してこの支持部材２０が挿入されることで、支持部材２０に対する缶体１０の供給が行われる。
【００１０】
さらに、印刷システム５００には、缶体１０を支持しながら移動する移動体の一例としての移動ユニット５５０が複数設けられている。
本実施形態では、この移動ユニット５５０に、缶体１０を支持する缶体支持部の一例としての支持部材２０が取り付けられている。缶体１０は、この支持部材２０により支持され、この移動ユニット５５０とともに移動する。
【００１１】
なお、図１では、移動ユニット５５０が、１つの缶体１０を支持する場合を示しているが、後述するように、移動ユニット５５０に複数の缶体１０を載せ、１つの移動ユニット５５０が、複数の缶体１０を支持するようにしてもよい。
ここで、支持部材２０は、円筒状に形成され、さらに、周方向に回転可能な状態で設けられている。本実施形態では、周方向に回転可能なこの支持部材２０により缶体１０が支持されるため、缶体１０も、周方向に回転可能な状態で支持される。
【００１２】
缶体１０は、円筒状に形成され、一端に開口部が設けられている。また、缶体１０の他端は塞がれ、この他端には、底部１０Ａが設けられている。支持部材２０は、この開口部から缶体１０に挿入される。
さらに、本実施形態では、移動ユニット５５０を移動させる移動手段として機能する移動機構５６０が設けられている。移動機構５６０には、移動ユニット５５０の案内を行う環状の案内部材５６１が設けられている。
【００１３】
移動ユニット５５０の各々は、案内部材５６１により案内され、予め定められた環状の移動経路である環状移動経路７３２に沿って周回移動を行う。これに伴い、本実施形態では、移動ユニット５５０に設けられた支持部材２０も、この環状の環状移動経路７３２に沿って移動する。
付言すると、本実施形態では、案内部として機能する案内部材５６１は、環状移動経路７３２に沿って設けられ、この環状移動経路７３２に沿って移動する移動ユニット５５０の案内を行う。
さらに、本実施形態では、支持部材２０により支持された缶体１０は、予め定められた環状の缶体移動経路８００に沿って移動する。
【００１４】
環状移動経路７３２（缶体移動経路８００も同様）は、その軸中心８００Ｃが水平方向に沿うように配置されている。言い換えると、缶体移動経路８００は、水平方向に沿った軸中心８００Ｃの周りに配置されている。ここで、この軸中心８００Ｃは、図１の紙面に対して直交する方向に延びている。
【００１５】
付言すると、環状移動経路７３２は、鉛直方向に沿って延びる平面上に配置されている。言い換えると、環状移動経路７３２は、図１の紙面に沿って延びる平面上に配置されている。
本実施形態では、支持部材２０および缶体１０は、図中、紙面に対して直交する方向に沿って延びる軸中心８００Ｃを中心に、周回移動を行う。
【００１６】
環状移動経路７３２には、上方から下方に向かい且つ直線状に形成された第１直線状移動経路９１０、下方から上方に向かい且つ直線状に形成された第２直線状移動経路９２０が設けられている。
ここで、第１直線状移動経路９１０、第２直線状移動経路９２０は、鉛直方向に沿って配置されている。また、第１直線状移動経路９１０と第２直線状移動経路９２０とは、互いに平行となる関係で配置されている。
【００１７】
なお、本実施形態では、第１直線状移動経路９１０、第２直線状移動経路９２０の二つの直線状移動経路が設けられているが、どちらか一方でもよい。
また、本実施形態では、第１直線状移動経路９１０、第２直線状移動経路９２０は、鉛直方向に沿って配置されているが、第１直線状移動経路９１０、第２直線状移動経路９２０は、鉛直方向に対して傾斜した状態で設けるようにしてもよい。
また、本実施形態では、第１直線状移動経路９１０の全長と、第２直線状移動経路９２０の全長とが等しくなっている。
【００１８】
さらに、本実施形態では、第１直線状移動経路９１０および第２直線状移動経路９２０を、水平方向に且つ第１直線状移動経路９１０が位置する側から第２直線状移動経路９２０が位置する側に向けて投影した場合に、両者が重なるようになっている。
付言すると、本実施形態では、第１直線状移動経路９１０および第２直線状移動経路９２０を、水平方向に且つ軸中心８００Ｃが延びる方向と直交する方向に投影した場合に、両者が重なるようになっている。
【００１９】
さらに、本実施形態では、環状移動経路７３２に、横方向（水平方向）に沿って延びる移動経路である横方向移動経路が設けられている。付言すると、本実施形態では、環状移動経路７３２の一部を構成する移動経路として、横方向移動経路が設けられている。
より具体的には、本実施形態では、横方向移動経路として、上側移動経路９３０と下側移動経路９４０とが設けられている。上側移動経路９３０、下側移動経路９４０は、上下方向において互いにずらされた状態で設けられている。さらに、上側移動経路９３０、下側移動経路９４０は、横方向（水平方向、鉛直方向と交差する方向）に沿って延び且つ直線状に形成されている。
【００２０】
また、本実施形態では、上側移動経路９３０の全長と下側移動経路９４０の全長とが等しくなっている。また、上側移動経路９３０と下側移動経路９４０とは、互いに平行となる関係で配置されている。
さらに、本実施形態では、下側移動経路９４０の真上に、上側移動経路９３０が位置しており、上側移動経路９３０と下側移動経路９４０とを鉛直方向下方に向けて投影した場合に、上側移動経路９３０と下側移動経路９４０とが重なるようになっている。
【００２１】
さらに、上側移動経路９３０は、環状移動経路７３２のうちの最上部の部分に設けられ、下側移動経路９４０は、環状移動経路７３２のうちの最下部の部分に設けられている。
上側移動経路９３０では、移動ユニット５５０は、図中右方向へ移動し、下側移動経路９４０では、移動ユニット５５０は、図中左方向へ移動する。
付言すると、本実施形態では、上側移動経路９３０では、移動ユニット５５０は、一方向へ移動し、下側移動経路９４０では、移動ユニット５５０は、この一方向とは反対方向へ移動する。
さらに、環状移動経路７３２には、上側移動経路９３０と第１直線状移動経路９１０とを接続する第１接続経路９５０と、第１直線状移動経路９１０と下側移動経路９４０とを接続する第２接続経路９６０とが設けられている。
【００２２】
また、環状移動経路７３２には、下側移動経路９４０と第２直線状移動経路９２０とを接続する第３接続経路９７０と、第２直線状移動経路９２０と上側移動経路９３０とを接続する第４接続経路９８０とが設けられている。
第１接続経路９５０〜第４接続経路９８０は、何れも、曲率を有し、さらに、１／４周分の円弧を描くように形成されている。
【００２３】
ここで、第１接続経路９５０、第２接続経路９６０は、移動ユニット５５０の移動方向下流側に向かって進むに従い下るように形成されている。
また、第３接続経路９７０、第４接続経路９８０は、移動ユニット５５０の移動方向下流側に向かって進むに従い上るように形成されている。
【００２４】
本実施形態では、第１接続経路９５０、第１直線状移動経路９１０、第２接続経路９６０を、移動ユニット５５０が移動する際、移動ユニット５５０は、下方に向かって移動する。
また、第３接続経路９７０、第２直線状移動経路９２０、第４接続経路９８０を、移動ユニット５５０が移動する際、移動ユニット５５０は、上方に向かって移動する。
【００２５】
さらに、本実施形態では、第１検査装置９２が設けられている。
第１検査装置９２は、第２直線状移動経路９２０に位置する移動ユニット５５０により支持されている缶体１０についての処理の一例である、缶体１０の検査を行う。
具体的には第１検査装置９２では、缶体１０が変形していないか否かの検査を行う。
【００２６】
より具体的には、第１検査装置９２には、図２（第１検査装置９２を説明する図）に示すように、光源９２Ａが設けられている。
光源９２Ａは、缶体１０の一方の端部側に設けられており、缶体１０の外周面に沿って且つ缶体１０の軸方向に沿って進行するレーザ光を出射する。さらに、缶体１０の他方の端部側には、光源９２Ａからのレーザ光を受光する受光部９２Ｂが設けられている。
【００２７】
缶体１０の一部が、符号３Ａに示すように変形していると、レーザ光が遮られるようになり、受光部９２Ｂでは、レーザ光が受光されないようになる。これにより、缶体１０の変形が検知される。
そして、本実施形態では、第１検査装置９２にて、缶体１０が予め定められた条件を満たしていないと判断された場合（缶体１０が変形していると判断された場合）、第１排出機構９３（図１参照）が、この缶体１０を印刷システム５００の外部に排出する。
ここで、第１排出機構９３は、第４接続経路９８０の側方（側方且つ環状移動経路７３２の外側）に設けられ、移動ユニット５５０が第４接続経路９８０に位置する際に、この移動ユニット５５０により支持されている缶体１０の排出を行う。
【００２８】
第１排出機構９３では、円筒状に形成された支持部材２０の内部に圧縮空気が供給され、缶体１０が軸方向（図１の紙面と直交する方向）へ移動する。
さらに、缶体１０の底部１０Ａ（塞がれた側の端部）が、不図示の吸引部材により吸引される。そして、この吸引部材により、印刷システム５００の外部へ缶体１０が搬送され、印刷システム５００の外部へ缶体１０が排出される。
【００２９】
第１排出機構９３の下流側には、インクジェット印刷部７００が設けられている。
画像形成手段の一例としてのインクジェット印刷部７００は、インクジェット印刷方式を用い、上流側から移動してきた缶体１０の外面１０Ｘ（外周面）への画像形成を行う。
付言すると、移動ユニット５５０により支持されている缶体１０への画像形成を行う。
【００３０】
付言すると、本実施形態では、インクジェット印刷部７００による画像形成にあたっては、インクジェット印刷部７００よりも上流側から、このインクジェット印刷部７００に向かって移動ユニット５５０が順次移動する（矢印１Ａ参照）。
そして、本実施形態では、移動ユニット５５０上の缶体１０に対し、インクジェット印刷部７００による画像形成が行われる。
【００３１】
ここで、インクジェット印刷方式による画像形成とは、インクジェットヘッド１１からインクを吐出させて、缶体１０にこのインクを付着させることにより行う画像形成を指す。
インクジェット印刷方式による画像形成では、公知の方式を用いることができる。具体的には、例えば、ピエゾ方式、サーマル（バブル）方式、コンティニュアス方式などを用いることができる。
【００３２】
インクジェット印刷部７００の下流側には、硬化手段の一例としての光照射部７５０が設けられている。
光照射部７５０は、光源（不図示）を備え、インクジェット印刷部７００による画像形成が行われた缶体１０の外面１０Ｘに光を照射し、外面１０Ｘに形成された画像を硬化させる。
【００３３】
インクジェット印刷部７００では、紫外線硬化型のインクを用いて画像を形成する。付言すると、インクジェット印刷部７００では、活性放射線硬化型インクを用いて画像を形成する。
光照射部７５０では、形成されたこの画像に対して紫外線などの光を照射する。これにより、缶体１０の外面１０Ｘに形成されたこの画像が硬化する。
【００３４】
光照射部７５０の下流側には、インクジェット印刷部７００により缶体１０の外面１０Ｘに形成された画像の検査を行う検査手段の一例としての第２検査装置３００が設けられている。
第２検査装置３００は、第１直線状移動経路９１０に位置する移動ユニット５５０により支持されている缶体１０についての処理の一例である、缶体１０の検査を行う。
【００３５】
ここで、本実施形態では、第１直線状移動経路９１０の側方および第２直線状移動経路９２０の側方の両方に、缶体１０の検査を行う検査装置（第１検査装置９２、第２検査装置３００）が設けられている。
付言すると、本実施形態では、第１直線状移動経路９１０の側方および第２直線状移動経路９２０の側方の両方に、缶体１０についての処理を行う処理手段が設けられている。
【００３６】
このように、第１直線状移動経路９１０の側方および第２直線状移動経路９２０の側方の両方に、処理手段を設ける場合、一方の側方のみに処理手段を設ける場合に比べ、印刷システム５００の占有面積の低減を更に図れる。
ここで、例えば、一方の側方のみに処理手段を設け、他方の側方に設ける予定であった処理手段を、例えば、上側移動経路９３０の側方などに設けると、上側移動経路９３０の全長が大きくなり、これに伴い、符号１Ｅで示す方向における印刷システム５００の寸法が大きくなる。そして、この場合、印刷システム５００の占有面積が大きくなる。
これに対し、本実施形態のように、第１直線状移動経路９１０の側方および第２直線状移動経路９２０の側方の両方に、処理手段を設ける場合、符号１Ｅで示す方向における印刷システム５００の寸法を小さくでき、印刷システム５００の占有面積を小さくできる。
【００３７】
また、本実施形態では、缶体１０の移動方向において、保護層形成部７７０（後述）よりも上流側に、第２検査装置３００が設けられており、本実施形態では、保護層形成部７７０による缶体１０への塗料の付着が行われる前に、缶体１０に形成された画像の検査が行われる。
また、本実施形態では、インクジェット印刷部７００、光照射部７５０は、上側移動経路９３０の側方に配置されている。
【００３８】
さらに、缶体１０の移動方向において、第２検査装置３００の下流側には、缶体移動経路８００上に位置する缶体１０を、印刷システム５００（缶体移動経路８００）から排出する排出手段の一例としての第２排出機構４００が設けられている。
第２排出機構４００は、第２検査装置３００による検査結果が、予め定められた条件を満たす検査結果となった缶体１０を、印刷システム５００から排出する。言い換えると、第２排出機構４００は、形成された画像に欠陥が生じているいわゆる不良缶を印刷システム５００から排出する。
【００３９】
本実施形態では、第１直線状移動経路９１０の側方に、第２検査装置３００が設けられており、下側移動経路９４０の側方に、第２排出機構４００が設けられており、第２検査装置３００と第２排出機構４００との間には、第２接続経路９６０が設けられている。
本実施形態では、この第２接続経路９６０を移動ユニット５５０が移動している最中に、第２検査装置３００による解析処理が行われ、第２接続経路９６０を移動ユニット５５０が移動している最中に、第２検査装置３００による検査結果が出力される。
なお、第１検査装置９２についても同様であり、本実施形態では、第４接続経路９８０を移動ユニット５５０が移動している最中に、第１検査装置９２による解析処理が行われ、第４接続経路９８０を移動ユニット５５０が移動している最中に、第１検査装置９２による検査結果が出力される。
【００４０】
第２排出機構４００では、第１排出機構９３と同様、円筒状に形成された支持部材２０の内部に圧縮空気が供給され、缶体１０が軸方向（図１の紙面と直交する方向）へ移動する。
さらに、缶体１０の底部１０Ａ（塞がれた側の端部）が、不図示の吸引部材により吸引される。そして、この吸引部材により、印刷システム５００の外部へ缶体１０が搬送され、印刷システム５００の外部へ缶体１０が排出される。
付言すると、缶体移動経路８００の外部へ缶体１０が搬送され、缶体移動経路８００の外部へ缶体１０が排出される。
【００４１】
さらに、本実施形態では、缶体１０の移動方向において、第２排出機構４００の下流側に、保護層形成部７７０が設けられている。
塗料付着手段の一例としての保護層形成部７７０は、インクジェット印刷部７００による缶体１０への画像形成が行われた後、缶体１０の外面１０Ｘに対して、透明な塗料を付着させる。
【００４２】
より具体的には、保護層形成部７７０は、塗料をその外周面に保持したロール状部材７０１を、缶体１０の外面１０Ｘに接触させ、この外面１０Ｘに、透明な塗料を付着させる。
付言すると、保護層形成部７７０は、インクジェット印刷部７００により形成された画像の上に、透明な塗料を付着させ、この画像を覆う透明な層を形成する。これにより、缶体１０の最外層に、透明な保護層が形成される。
【００４３】
保護層形成部７７０の下流側には、支持部材２０からの缶体１０の取り外しが行われる取り外し部７８０（缶体排出部）が設けられている。
本実施形態では、この取り外し部７８０にて、支持部材２０からの缶体１０の取り外しが行われ、この缶体１０が、印刷システム５００の外部に排出される。
【００４４】
ここで、本実施形態では、下側移動経路９４０の側方（下方）に、缶体１０についての処理を行う第２排出機構４００、保護層形成部７７０、取り外し部７８０、缶体供給部５１０が設けられている。
付言すると、本実施形態では、下側移動経路９４０の下方に、下側移動経路９４０の延び方向に沿って並んで配置され、缶体１０についての処理を行う複数の処理手段が設けられている。
【００４５】
さらに、本実施形態では、上側移動経路９３０の側方（上方）にも、缶体１０についての処理を行うインクジェット印刷部７００、光照射部７５０が設けられている。
付言すると、本実施形態では、上側移動経路９３０の上方に、上側移動経路９３０の延び方向に沿って並んで配置され、缶体１０についての処理を行う複数の処理手段が設けられている。
【００４６】
本実施形態では、このように、上側移動経路９３０の側方および下側移動経路９４０の側方の両方に、缶体１０についての処理を行う処理手段が設けられている。
【００４７】
ここで、本実施形態のように、缶体１０に画像を形成した後に、この画像の上に透明な塗料を付着させる場合、画像の形成時に生じていた画像の欠陥が目立ちにくくなることがある。
付言すると、インクジェット印刷部７００により形成された画像の一部に、例えば、ドットの欠けなどの欠陥があったとしても、塗料を付着させると、この欠陥が目立ちにくくなり、この欠陥が、第２検査装置３００にて検知されにくくなる。
【００４８】
これに対して、本実施形態のように、保護層形成部７７０よりも上流側に第２検査装置３００を設け、保護層形成部７７０による缶体１０への塗料の付着が行われる前に、画像の検査を行う場合は、画像の欠陥がより検知されやすくなる。
付言すると、保護層形成部７７０による缶体１０への塗料の付着が行われる前に、画像の検査を行う場合は、塗料の付着が無い状態で検査が行われるため、画像の欠陥がより検知されやすくなる。
【００４９】
なお、本実施形態では、缶体１０への画像形成を、インクジェットヘッド１１を用いて行ったが、缶体１０への画像形成は、凸版などの版式を用いて行ってもよい。
そして、この場合も（版式で印刷を行う場合も）、上記と同様、塗料の付着が行われる前に画像の検査を行うようにすれば、画像の欠陥がより検知されやすくなる。
【００５０】
次に、インクジェット印刷部７００について説明する。
図１に示すインクジェット印刷部７００は、上側移動経路９３０の上方（側方）に配置され、上側移動経路９３０に位置する移動ユニット５５０により支持されている缶体１０への画像形成を行う。
インクジェット印刷部７００には、図中左右方向に並んで配置された複数のインクジェットヘッド１１が設けられている。この複数のインクジェットヘッド１１が設けられている部分は、缶体１０への画像形成を行う画像形成手段として捉えることができる。
【００５１】
具体的には、インクジェット印刷部７００には、シアンのインクを吐出する第１インクジェットヘッド１１Ｃ、マゼンタのインクを吐出する第２インクジェットヘッド１１Ｍ、イエローのインクを吐出する第３インクジェットヘッド１１Ｙ、黒のインクを吐出する第４インクジェットヘッド１１Ｋが設けられている。
以下の説明において、第１インクジェットヘッド１１Ｃ〜第４インクジェットヘッド１１Ｋを特に区別しない場合には、単に、「インクジェットヘッド１１」と称する。
【００５２】
なお、本実施形態では、４つのインクジェットヘッド１１が設けられている場合を例示したが、コーポ―レートカラーなどの特色のインクを吐出するインクジェットヘッド１１や、白色の層を形成するためのインクジェットヘッド１１をさらに設けてもよい。
【００５３】
ここで、第１インクジェットヘッド１１Ｃ〜第４インクジェットヘッド１１Ｋの４つのインクジェットヘッド１１は、紫外線硬化型のインクを用いて、缶体１０への画像形成を行う。
また、本実施形態では、缶体１０は、寝た状態で移動し（缶体１０の軸方向が水平状態となる状態で缶体１０が移動し）、缶体１０の外面１０Ｘの一部が、鉛直方向における上方を向く。
本実施形態では、この外面１０Ｘの上方から、下方に向けてインクを吐出し、缶体１０の外面１０Ｘへの画像形成を行う。
【００５４】
また、本実施形態では、各インクジェットヘッド１１の下方にて、移動ユニット５５０が停止し、移動ユニット５５０上の缶体１０へのインクの吐出が行われ、缶体１０への画像形成が行われる。
そして、本実施形態では、缶体１０への画像形成が終わると、移動ユニット５５０が、１つ下流側に位置するインクジェットヘッド１１へ向かって移動し、このインクジェットヘッド１１にて、缶体１０への画像形成がさらに行われる。
【００５５】
さらに、本実施形態では、この４つのインクジェットヘッド１１は、缶体１０の移動方向に並んだ状態で配置されている。また、４つのインクジェットヘッド１１の各々は、缶体１０の移動方向と直交（交差）する方向に沿うように配置されている。
本実施形態では、この４つのインクジェットヘッド１１の下方を缶体１０が通過していく過程で、缶体１０に対して上方からインクが吐出され、缶体１０に画像が形成される。
【００５６】
より具体的には、本実施形態では、移動ユニット５５０が、複数設けられたインクジェットヘッド１１の各々の設置箇所にて停止する。
そして、各インクジェットヘッド１１では、缶体１０へのインクの吐出が行われ、缶体１０に画像が形成される。なお、各インクジェットヘッド１１にて画像形成が行われる際、缶体１０は、周方向に回転する。
【００５７】
移動体の一例としての移動ユニット５５０の各々は、予め定められた移動速度で移動を行う。
また、移動ユニット５５０の各々は、缶体供給部５１０、第１検査装置９２、第１排出機構９３、各インクジェットヘッド１１、光照射部７５０、第２検査装置３００、第２排出機構４００、保護層形成部７７０、取り外し部７８０の各々にて停止する。
【００５８】
また、第１検査装置９２、各インクジェットヘッド１１、光照射部７５０、第２検査装置３００、保護層形成部７７０などの設置箇所では、移動ユニット５５０上の缶体１０は、予め定められた回転速度で周方向への回転を行う。
また、本実施形態の印刷システム５００では、印刷システム５００内に位置する缶体１０の個数よりも多い移動ユニット５５０が設置されている。さらに、移動ユニット５５０は、軸中心８００Ｃの周りを移動する。
【００５９】
移動機構５６０には、移動ユニット５５０の案内を行う環状の案内部材５６１が設けられている。この案内部材５６１の内部には、電磁石（不図示）が設けられている。
さらに、移動ユニット５５０には、永久磁石（不図示）が設置されている。
本実施形態では、リニア機構が用いられて、移動ユニット５５０の移動が行われる。
【００６０】
より具体的には、本実施形態の印刷システム５００では、制御部９００が設けられており、制御部９００は、上記の電磁石への通電を制御して、磁界を生成し、移動ユニット５５０の各々を移動させる。なお、制御部９００は、プログラム制御されたＣＰＵ（Central Processing Unit）により構成されている。
【００６１】
図１に示すように、移動ユニット５５０には、案内部材５６１により案内される被案内部の一例としての台座部５５１が設けられている。この台座部５５１は、案内部材５６１に接触し、この案内部材５６１によりその移動方向が定められる。また、本実施形態では、この台座部５５１に、永久磁石（不図示）が設置されている。
本実施形態では、案内部材５６１に設けられた電磁石によって発生する磁界と、移動ユニット５５０の台座部５５１に設けられた永久磁石とによって、移動ユニット５５０に推進力が生じ、移動ユニット５５０が、環状移動経路７３２に沿って移動する。
【００６２】
本実施形態の移動ユニット５５０には、缶体１０を支持する円筒状の支持部材２０、この支持部材２０を台座部５５１に固定するための固定用部材（不図示）が設けられている。
支持部材２０は、円筒状に形成され、缶体１０に形成された開口部を通じて缶体１０に挿入され、この缶体１０を支持する。また、支持部材２０は、寝た状態（水平方向に沿った状態）で配置されている。これにより、本実施形態では、缶体１０も寝た状態で配置される。
本実施形態では、各インクジェットヘッド１１に缶体１０が達すると、インクジェットヘッド１１の各々から、下方に位置する缶体１０へのインクの吐出が行われる。これにより、缶体１０の外面１０Ｘに画像が形成される。
【００６３】
光照射部７５０は、インクジェット印刷部７００の下流側に配置され、缶体１０に対して、光の一例である紫外線を照射する。これにより、缶体１０の外面（外周面）１０Ｘに形成された画像（インクジェット印刷部７００により形成された画像）が硬化する。
なお、缶体１０への画像形成にあたっては、熱硬化型のインクを用いてもよく、この場合は、例えば、光照射部７５０が設けられている箇所に、光源ではなく熱源が設置される。
【００６４】
本実施形態では、移動ユニット５５０は、各インクジェットヘッド１１の下方に達する度に、停止する。言い換えると、移動ユニット５５０は、予め定められた停止箇所の各々にて停止する。
そして、本実施形態では、この予め定められた停止箇所にて停止した移動ユニット５５０が保持している缶体１０の外面１０Ｘに対し、画像形成手段の一例としてのインクジェットヘッド１１によって、画像が形成される。
【００６５】
より具体的には、インクジェットヘッド１１の各々の設置箇所では、支持部材２０（缶体１０）が周方向に回転している状態にて、インクジェットヘッド１１からのインクの吐出が行われ、缶体１０の外面１０Ｘに画像が形成される。
本実施形態では、インクの吐出が開始されてから支持部材２０が３６０°回転すると、インクの吐出が停止する。これにより、缶体１０の外面１０Ｘの周方向における全域に、画像が形成される。
【００６６】
本実施形態では、図１にて示す支持部材２０は、図１の紙面と直交する方向に沿って配置されている。言い換えると、支持部材２０は、水平方向に沿って延びるように配置されている。
また、支持部材２０は、移動ユニット５５０の移動方向と直交（交差）する方向に沿うように配置されている。
【００６７】
また、本実施形態では、インクジェットヘッド１１は、缶体１０の上方に位置し、缶体１０に対しては、上方からインクが吐出される。
この場合、インクジェットヘッド１１が、缶体１０の側方や缶体１０の下方に配置される場合に比べ、インクジェットヘッド１１から吐出されたインクの液滴に作用する重力の影響を小さくでき、缶体１０におけるインクの付着位置の精度を高められる。
【００６８】
さらに、本実施形態では、上側移動経路９３０（水平方向移動経路）の側方（上方）に、インクジェット印刷部７００（複数のインクジェットヘッド１１）が設けられている。
これにより、曲線状部（例えば、第１接続経路９５０〜第４接続経路９８０のような曲率を有する経路）の側方に、インクジェット印刷部７００（複数のインクジェットヘッド１１）が設けられる場合に比べ、缶体１０に形成される画像の質を高めやすくなる。
【００６９】
ここで、曲線状部の側方に、インクジェットヘッド１１を設ける場合は、例えば、図３（印刷システム５００の他の構成例を示した図）に示すように、インクジェットヘッド１１の姿勢が、インクジェットヘッド１１毎に異なるようになる。
この場合、インクジェットヘッド１１の姿勢が揃っている場合に比べ、インクジェットヘッド１１毎に形成される画像間に位置ずれが生じるなど、形成される画像の質が低下しやすくなる。
【００７０】
これに対し、本実施形態のように、直線状部（上側移動経路９３０（水平方向移動経路））の側方に、インクジェット印刷部７００を設けると、複数のインクジェットヘッド１１の姿勢を揃えやすくなり、形成される画像の質の低下を抑えられる。
付言すると、本実施形態では、移動ユニット５５０が水平方向移動経路に位置する際に、画像形成手段であるインクジェット印刷部７００が缶体１０への画像形成を行う構成となっており、この場合、形成される画像の質の低下を抑えやすくなる。
なお、本実施形態では、上側移動経路９３０の側方に、インクジェット印刷部７００を設けた場合を説明したが、下側移動経路９４０の側方に、インクジェット印刷部７００を設けることを排除するものではない。下側移動経路９４０の側方にインクジェット印刷部７００を設ける場合も、同様に、複数のインクジェットヘッド１１の姿勢を揃えやすくなり、形成される画像の質の低下を抑えられる。
【００７１】
図４は、第２検査装置３００を説明する図である。
本実施形態の第２検査装置３００には、缶体１０の外面１０Ｘに形成された画像を撮影する撮影手段の一例としての撮影装置３１０が設けられている。
撮影装置３１０は、例えば、ＣＣＤ（Charge Coupled Device）などの撮影用素子を含んで構成される。さらに、第２検査装置３００には、缶体１０に照射される光を出射する光源３２０が設けられている。
【００７２】
第２検査装置３００は、撮影装置３１０により得られた画像を解析し、缶体１０の外面１０Ｘに形成された画像の検査を行う。
より具体的には、第２検査装置３００は、例えば、撮影装置３１０により得られた画像と、予め登録された基準画像とを比較することで、缶体１０の外面１０Ｘに形成された画像に欠陥があるか否かの検査を行う。
【００７３】
ここで、本実施形態では、直線状に形成された第１直線状移動経路９１０に、移動ユニット５５０が位置する際に、撮影装置３１０を用い、この移動ユニット５５０上の缶体１０の外面１０Ｘに形成された画像を撮影する。
付言すると、本実施形態では、第１直線状移動経路９１０に移動ユニット５５０が位置する際に、第２検査装置３００によって、缶体１０の外面１０Ｘに形成された画像の検査が行われる。
これにより、本実施形態では、曲率を有する第１接続経路９５０等に缶体１０が位置する際に、缶体１０の検査（缶体１０の撮影）を行う場合に比べ、缶体１０の画像の検査の精度を高められる。
【００７４】
ここで、環状移動経路７３２のうちの、曲率を有する部分では、移動ユニット５５０（缶体１０）の停止位置の精度が低下しやすい。
この場合、撮影装置３１０を用いて缶体１０を撮影する際における、缶体１０の位置がばらつきやすく、このばらつきに起因して、画像の検査精度の低下を招きやすくなる。
これに対し、本実施形態のように、第１直線状移動経路９１０に缶体１０が位置する際に、缶体１０の検査（撮影）を行う場合は、缶体１０の位置のばらつきが生じにくくなり、缶体１０の画像の検査の精度を高めやすくなる。
【００７５】
さらに、本実施形態では、図１に示すように、缶体１０の移動方向において、排出手段の一例としての第２排出機構４００は、塗料付着手段の一例としての保護層形成部７７０よりも上流側に配置されている。
これにより、本実施形態では、不良缶については、塗料の付着が行われる前に、印刷システム５００から排出される。この場合、不良缶であっても塗料の付着が行われる場合に比べ、使用する塗料の量を削減できる。
【００７６】
さらに、本実施形態では、第２検査装置３００は、光照射部７５０により硬化が行われた後の画像であって、塗料がこの画像の上に付着する前のこの画像の検査を行う。
付言すると、本実施形態では、缶体１０の移動方向において、第２検査装置３００は、光照射部７５０よりも下流側に且つ保護層形成部７７０よりも上流側に配置され、光照射部７５０による硬化が行われ且つ塗料がその表面に塗られる前の画像の検査を行う。
【００７７】
ここで、画像の硬化がなされる前にこの画像の検査を行う場合、検査の後に画像が変化し、画像の状態が変わってしまうおそれがある。また、塗料が画像の表面に塗られた後に画像の検査を行うと、上記のとおり、画像の形成時に生じていた、画像の欠陥が目立ちにくくなり、この欠陥が検知されにくくなる。
これに対し、本実施形態のように、光照射部７５０による硬化が行われ且つ塗料がその表面に塗られる前の画像の検査を行うと、検査の後に画像が変化することが抑制され、さらに、画像に生じている欠陥をより精度よく検知できるようになる。
【００７８】
さらに、本実施形態では、第１直線状移動経路９１０、第２直線状移動経路９２０を、上下方向に沿わせて配置しており、これにより、本実施形態では、缶体１０に対する処理の精度の向上と、印刷システム５００の専有面積の低減の両立が図られている。
ここで、移動ユニット５５０が、第１直線状移動経路９１０、第２直線状移動経路９２０などの、直線状の移動経路上に位置する際に、缶体１０についての処理を行う場合、移動ユニット５５０が、曲率を有した移動経路上に位置する際に缶体１０についての処理を行う場合に比べ、移動ユニット５５０の位置の精度に起因する、処理の精度の低下を抑えられる。
【００７９】
このため、缶体１０についての処理は、移動ユニット５５０が直線状の移動経路に位置する際に行うことが好ましい。
ここで、本実施形態では、直線状の移動経路として、上側移動経路９３０や下側移動経路９４０も設けられており、この上側移動経路９３０や下側移動経路９４０の側方に、第１検査装置９２や第２検査装置３００を設ける態様も考えられる。
【００８０】
ところで、この場合は、符号１Ｅで示す方向における印刷システム５００の寸法が大きくなり、印刷システム５００の占有面積が大きくなりやすい。
これに対し、本実施形態のように、上下方向に延びる第１直線状移動経路９１０、第２直線状移動経路９２０の側方に、第１検査装置９２や第２検査装置３００を設けるようにすると、検査の精度の低下を抑えつつ、符号１Ｅで示す方向における印刷システム５００の寸法を小さくできるようになる（印刷システム５００の占有面積を小さくできるようになる）。
【００８１】
さらに、本実施形態では、上記のとおり、第１直線状移動経路９１０の側方および第２直線状移動経路９２０の側方の両方に、缶体１０についての処理を行う処理手段が設けられている。
具体的には、第１直線状移動経路９１０の側方には、第２検査装置３００が設けられ、第２直線状移動経路９２０の側方には、第１検査装置９２が設けられている。
【００８２】
ここで、例えば、第２直線状移動経路９２０の側方には、第１検査装置９２等の処理手段を設けず、第１直線状移動経路９１０の側方のみに、処理手段を設ける態様も考えられる。付言すると、２つ設けられる直線状移動経路の各々の側方のうちの一方の側方のみに、処理手段を設ける態様も考えられる。
【００８３】
ところで、この場合、他方の側方に設けられる予定にあった処理手段が、例えば、上側移動経路９３０の側方に設けられる形となり、この場合、上側移動経路９３０の全長が大きくなり、これに伴い、印刷システム５００の占有面積が大きくなりやすい。
これに対し、本実施形態のように、第１直線状移動経路９１０の側方および第２直線状移動経路９２０の側方の両方に処理手段を設けるようにすると、一方の側方のみに処理手段を設ける場合に比べ、印刷システム５００の占有面積を小さくすることができる。
【００８４】
さらに、本実施形態では、上側移動経路９３０の側方および下側移動経路９４０の側方の両方に、缶体１０についての処理を行う処理手段が設けられており、これによっても、印刷システム５００の占有面積を小さくすることができる。
付言すると、上側移動経路９３０の側方および下側移動経路９４０の側方の一方の側方のみに処理手段を設ける場合に比べ、印刷システム５００の占有面積を小さくすることができる。
【００８５】
さらに、本実施形態では、図１に示すように、上側移動経路９３０に移動ユニット５５０が位置する際の移動ユニット５５０の姿勢と、下側移動経路９４０に移動ユニット５５０が位置する際のこの移動ユニット５５０の姿勢とを比べた場合に、移動ユニット５５０の上下が逆転している。付言すると、移動ユニット５５０の天地が逆転している。
【００８６】
具体的には、本実施形態では、上側移動経路９３０に移動ユニット５５０が位置する際には、被案内部である台座部５５１よりも上方に支持部材２０が位置し、下側移動経路９４０に移動ユニット５５０が位置する際には、台座部５５１よりも下方に支持部材２０が位置する。
これにより、本実施形態では、上側移動経路９３０の側方および下側移動経路９４０の側方の両方への処理手段の設置を行いやすくなる。
【００８７】
ここで、例えば、図６（印刷システム５００の比較例を示した図）に示すように、下側移動経路９４０に移動ユニット５５０が位置する際に、台座部５５１よりも上方に支持部材２０が位置する構成では、下側移動経路９４０の側方（下方）への処理手段の設置が難しくなる。
付言すると、この比較例では、移動ユニット５５０の姿勢が保たれたまま、移動ユニット５５０が循環移動する構成であるが、この構成では、下側移動経路９４０の下方への処理手段の設置が難しくなる。
【００８８】
これに対し、本実施形態のように、移動ユニット５５０の上下が逆転する構成では、下側移動経路９４０の下方への処理手段の設置を行えるようになり、上側移動経路９３０の側方および下側移動経路９４０の側方の両方への処理手段の設置を行いやすくなる。
なお、図６に示す比較例においても、符号６Ａで示す部分に、処理手段を設置することも一応可能であるが、この場合、環状の移動経路の内側に、処理手段が位置する形となり、この処理手段のメンテナンス等を行いにくくなる。
【００８９】
図５は、図１の矢印Ｖ方向から第１インクジェットヘッド１１Ｃ、第２インクジェットヘッド１１Ｍ、および、移動ユニット５５０を眺めた場合の図である。
なお、図５では、第２インクジェットヘッド１１Ｍの直下に位置する移動ユニット５５０については、図示を省略している。
【００９０】
図１では図示を省略したが、本実施形態では、図５に示すように、移動ユニット５５０が停止する停止箇所Ｐの各々に、缶体１０を回転させる駆動源の一例としてのサーボモータＭが設けられている。
付言すると、移動ユニット５５０の環状移動経路７３２の脇には、移動ユニット５５０により支持されている缶体１０を回転させるサーボモータＭが設けられている。
【００９１】
本実施形態では、缶体１０を回転させる駆動源（サーボモータＭ）は、移動ユニット５５０に設けられておらず、印刷システム５００の本体側に設けられている。
付言すると、本実施形態では、缶体１０を回転させるための駆動源は、移動ユニット５５０に設けられておらず、移動ユニット５５０とは別の箇所に設けられている。
これにより、移動ユニット５５０が軽量となり、移動ユニット５５０の移動に起因する印刷システム５００の揺れが小さくなる。
【００９２】
ここで、移動ユニット５５０に駆動源が設けられ、移動ユニット５５０の重量が大きいと、移動ユニット５５０が停止等した際の印刷システム５００の揺れが大きくなりやすい。そして、この場合、インクジェットヘッド１１などが揺れ、画質の低下を招きやすい。
これに対し、本実施形態のように、駆動源を、印刷システム５００の本体側に設ける構成では、移動ユニット５５０の軽量化が図られ、移動ユニット５５０が停止等した際の印刷システム５００の揺れが小さくなる。
【００９３】
図５に示すように、移動ユニット５５０には、台座部５５１が設けられている。
さらに、この台座部５５１の上には、２個の缶体１０が設けられている。この缶体１０の各々の内部には、支持部材２０が挿入され、缶体１０は、この支持部材２０により支持されている。なお、本実施形態では、１つの移動ユニット５５０に、２個の缶体１０が設けられる場合を一例に説明するが、１つの移動ユニット５５０に、３個以上の缶体１０を設置するようにしてもよい。
【００９４】
また、移動ユニット５５０には、缶体１０へ回転駆動力を伝達するための伝達軸５５５が設けられ、本実施形態では、この伝達軸５５５を介し、サーボモータＭからの回転駆動力が缶体１０に伝達される。
より具体的には、本実施形態では、支持部材２０の各々に接触し、支持部材２０を回転させる回転ギア５５６が設けられている。
この回転ギア５５６が、伝達軸５５５によって回転することで、缶体１０が周方向に回転する。なお、本実施形態では、移動ユニット５５０の各々に設けられる２個の缶体１０は、同方向に回転する。
【００９５】
ここで、本実施形態では、駆動源であるサーボモータＭから移動ユニット５５０への駆動力の伝達は、いわゆるマグネットカップリングにより行われる。
具体的には、本実施形態では、サーボモータＭ側に（印刷システム５００の本体側）に、サーボモータＭにより回転する駆動源側回転体５８１が設けられている。
【００９６】
さらに、本実施形態では、移動ユニット５５０側に、伝達軸５５５と同軸上に配置された移動体側回転体５８２が設けられている。
本実施形態では、駆動源側回転体５８１から移動体側回転体５８２に対して駆動力が伝達されることで、缶体１０が回転する。
【００９７】
より具体的には、本実施形態では、磁力が用いられることで、駆動源側回転体５８１に同期して移動体側回転体５８２が回転し、駆動源側回転体５８１から移動体側回転体５８２へ駆動力が伝達される。
付言すると、本実施形態では、駆動源側回転体５８１および移動体側回転体５８２の一方又は両方に磁石が設けられ、他方に、この磁石により吸引される被吸引体が設けられている。
【００９８】
これにより、本実施形態では、磁石にて発生する磁力が用いられて、駆動源側回転体５８１に同期した移動体側回転体５８２の回転が行われる。
そして、本実施形態では、移動体側回転体５８２が回転すると、これに応じ伝達軸５５５が回転し、これに伴い、缶体１０が周方向に回転する。
【００９９】
本実施形態では、駆動源側回転体５８１から移動体側回転体５８２へ駆動力が伝達される際（停止箇所Ｐにて移動ユニット５５０が停止している際）、図５に示すように、駆動源側回転体５８１と移動体側回転体５８２とが互いに対向配置される。
さらに、本実施形態では、このとき、駆動源側回転体５８１と移動体側回転体５８２とは非接触の状態で配置される。
ここで、このように非接触となる場合、駆動源側回転体５８１と移動体側回転体５８２とが接触することによる移動ユニット５５０の変位が抑制され、移動ユニット５５０の変位に起因する、画像の形成位置のずれが抑えられる。
【０１００】
［その他］
上記では、いわゆるリニア機構を用いて移動ユニット５５０を移動させたが、移動ユニット５５０の移動は、リニア機構に限らず、例えば、無端状の部材（ベルトやチェーンなどの部材）に、移動ユニット５５０を取り付け、この無端状の部材を周回移動させることで行ってもよい。
また、例えば、移動ユニット５５０の各々に、移動ユニット５５０を移動させるための、モータなどの駆動源を設け、移動ユニット５５０を自律的に移動させるようにしてもよい。
【０１０１】
また、上記では、インクジェットヘッド１１の設置箇所に、駆動源（サーボモータＭ）が設けられている場合を示したが、この駆動源は、第１検査装置９２（図１参照）、光照射部７５０、第２検査装置３００、保護層形成部７７０などの他の箇所にも設けられている。
本実施形態では、この他の箇所でも、移動ユニット５５０とは別に設けられた駆動源により、缶体１０の回転が行われる。
【０１０２】
また、上記では、駆動源側回転体５８１と移動体側回転体５８２とが非接触の状態で配置される場合を一例に説明したが、駆動源側回転体５８１と移動体側回転体５８２とが接触するようにし、互いに接触した駆動源側回転体５８１、移動体側回転体５８２を通じて、缶体１０への駆動力の供給を行ってもよい。
また、上記では、缶体１０を回転させるための駆動源（サーボモータＭ）を、移動ユニット５５０以外の箇所に設けたが、缶体１０を回転させるための駆動源は、移動ユニット５５０に設けてもよい。
【０１０３】
また、本実施形態では、上記のとおり、移動ユニット５５０の上下が逆転する構成を説明した。
ここで、移動ユニット５５０の上下の逆転の際には、移動ユニット５５０を、予め定められた回転軸を中心として回転させることが必要となるが、この回転軸を中心とした回転の態様には、複数の態様がある。
具体的には、図１にて示した形態では、図５に示す伝達軸５５５と平行な回転軸を中心に、移動ユニット５５０を回転させた。付言すると、図１にて示した形態では、缶体１０の軸方向と平行な回転軸を中心に、移動ユニット５５０を回転させた。
移動ユニット５５０の回転態様は、これに限らず、例えば、図５の符号５Ｘで示す方向に沿って延びる回転軸（不図示）を中心に、移動ユニット５５０を回転させるようにしてもよい。言い換えると、缶体１０の軸方向と直交する方向に沿って延びる回転軸を中心に、移動ユニット５５０を回転させるようにしてもよい。より具体的には、図５の符号５Ｙで示す方向へ、移動ユニット５５０を回転させるようにしてもよい。
【符号の説明】
【０１０４】
１０…缶体、５００…印刷システム、５５０…移動ユニット、７００…インクジェット印刷部、７３２…環状移動経路
【図１】
2020152086.tif 000003
【図２】
2020152086.tif 000004
【図３】
2020152086.tif 000005
【図４】
2020152086.tif 000006
【図５】
2020152086.tif 000007
【図６】
2020152086.tif 000008